(57)【要約】【課題】簡単な構造で、内部の物品の不用意な落下を確実に防止することができる被服を提供する。【解決手段】物品１４を収容するポケット２２を備える。ポケット２２は、外部に連通した開口部２２ａを有する上層収納部２４と、上層収納部２４に連通して設けられた下層収納部２６を備える。上層収納部２４と下層収納部２６との間の連通空間に、その空間の一部を弾性的に絞った弾性絞り部２８が設けられている。上層収納部２４は、下層収納部２６よりも大きく形成されている。【選択図】図１
0003185855.tif 000002
【実用新案登録請求の範囲】
【請求項１】
物品を収容するポケットを備え、このポケットは外部に連通した開口部を有する上層収納部と、この上層収納部に連通して設けられた下層収納部とを備え、前記上層収納部と前記下層収納部との間の連通空間に、その空間の一部を絞った絞り部が設けられていることを特徴とする被服。
【請求項２】
前記絞り部は、上層収納部と前記下層収納部との間の前記空間を弾性的に絞った弾性絞り部である請求項１記載の被服。
【請求項３】
前記上層収納部は、前記下層収納部よりも大きく形成されている請求項１又は２記載の被服。
【請求項４】
前記ポケットは、下衣の側方に設けられたものである請求項３記載の被服。
【考案の詳細な説明】
【技術分野】
【０００１】
この考案は、上着やズボン等の衣類の収納部分であるポケットを備えた被服に関する。
【背景技術】
【０００２】
従来、ズボンのポケットの形状は、図４に示すように、筒状で断面が一定の幅の袋状のポケット１０が、ズボン１２のウエスト部分から下方の大腿骨の側方に形成されていた。
【０００３】
また、特許文献１に開示されているように、ポケットの深さに対して相対的に小さい物品がポケットの底にある場合、取り出しやすくするために、ポケットの開口部を上下二段にして、小物を取り出す際には、下方の開口部からポケット内の物品を取り出すことができるようにしたポケット構造も提案されている。
【先行技術文献】
【特許文献】
【０００４】
【特許文献１】特開２０１３−２２３８０号公報
【考案の概要】
【考案が解決しようとする課題】
【０００５】
上記従来の技術の図４に示すポケット１０は、例えば携帯電話等のポケット形状と比較して深さの１／２以上の物品１４を収納している状態で椅子に腰掛けると、中の物品１４が大腿骨と平行になり水平状態となって、ポケット１０の開口部１０ａから落下する場合があった。特に、図４に示すように、足を組んだりしてポケットの位置が高くなると、開口部１０ａの位置が相対的に下方になり、物品１４が落下しやすくなるものであった。
【０００６】
特許文献１に開示された二段ポケットは、中の物品の取り出しやすさを向上させたもので、不用意な落下を防止することができるものではない。また、特許文献１のように開口部を面ファスナにより塞げば落下を防止することができるが、ポケットの開閉操作が煩わしくポケット開口部の厚みが著しく増大し、特にズボンのポケットには、適用できないものである。
【０００７】
この考案は上記従来の技術の問題点に鑑みてなされたものであり、簡単な構造で、内部の物品の不用意な落下を確実に防止することができる被服を提供することを目的とする。
【課題を解決するための手段】
【０００８】
この考案は、物品を収容するポケットを備え、このポケットは外部に連通した開口部を有する上層収納部と、この上層収納部に連通して設けられた下層収納部とを備え、前記上層収納部と前記下層収納部との間の連通空間に、その空間の一部を絞った絞り部が設けられている被服である。前記絞り部は、上層収納部と前記下層収納部との間の前記空間を弾性的に絞った弾性絞り部である。
【０００９】
前記上層収納部は、前記下層収納部よりも大きく形成されているものである。前記ポケットは、ズボン等の下衣の側方に設けられたものである。
【考案の効果】
【００１０】
この考案の被服は、簡単な構造で、ポケットの内部の物品の不用意な落下を確実に防止することができ、ポケット内からの物品の取り出しも容易なものである。
【図面の簡単な説明】
【００１１】
【図１】この考案の一実施形態の被服であるズボンの概略図である。
【図２】この実施形態の被服のポケットの拡大側面図である。
【図３】この実施形態のズボンの使用状態を示す模式図である。
【図４】従来のポケットを有するズボンの使用状態を示す模式図である。
【考案を実施するための形態】
【００１２】
以下、この考案の実施形態について図面に基づいて説明する。図１〜図３は、この考案の一実施形態の被服の下衣であるスウェットパンツ２０を示す。スウェットパンツ２０には、２層ポケット２２が、ウエスト部から大腿骨の両側位置に設けられている。
【００１３】
２層ポケット２２は、図２に示すように、上層収納部２４と下層収納部２６からなるもので、上層収納部２４と下層収納部２６の間には、ゴム等により開口部を絞った弾性絞り部２８が設けられている。この実施形態では、上層収納部２４が下層収納部２６より僅かに大きい袋状に形成され、上層収納部２４は両端部が開口した筒状で、下層収納部２６は有底の筒状に形成されている。上層収納部２４の上端開口部２２ａは、スウェットパンツ２０の側方で開口している。
【００１４】
次に、この実施形態のスウェットパンツ２０の使用方法について説明する。スウェットパンツ２０のポケット２２に携帯電話等の物品１４を収納する場合には、下層収納部２６内に収納可能なものは、下層収納部２６内に収納し、弾性絞り部２８の開口が絞られた状態で収納しておく。これにより、物品１４は、下層収納部２６から出ようとしても弾性絞り部２８に引っ掛かり、容易には出ない。また、下層収納部２６の深さよりも長い物品を収納する際も、その物品の底部を下層収納部２６の底部に届くように収納し、弾性絞り部２８でその物品を保持するようにする。これにより、物品が弾性絞り部２８により保持され、飛び出しにくい状態となる。さらに、椅子に座った場合等で、ポケット２２が水平方向に長く位置したとしても、図３に示すように、下層収納部２６が下方を向いてスウェットパンツ２０内に位置するので、物品１４の不用意な落下が防止される。
【００１５】
この実施形態のスウェットパンツ２０によれば、簡単な構造で、滑りやすい物品１４であっても不用意にポケット２２内から脱落することを防止することができる。特に、上層収納部２４と下層収納部２６の間に弾性絞り部２８が設けられていることにより、下層収納部２６内の物品１４を確実に保持するとともに、下層収納部２６より長い物品であっても、弾性絞り部２８で弾性的に保持することができ、ポケット２２からの収納物品の不用意な落下を確実に防止することができる。
【００１６】
なお、この発明の被服のポケットの位置は、スウェットパンツ等のズボンに限らず、短パン等の下衣でも良く、ジャケットやコート等の上衣のポケットであっても良い。また、ポケットの上層収納部と下層収納部の大きさや適宜設定可能なものであり、絞り部は、弾性を有しない絞り部でも良く、必要に応じて弾性絞り部を設けるものでも良い。
【符号の説明】
【００１７】
１４  物品
２０  スウェットパンツ
２２  ポケット
２２ａ  開口部
２４  上層収納部
２６  下層収納部
２８  弾性絞り部
【図１】
0003185855.tif 000003
【図２】
0003185855.tif 000004
【図３】
0003185855.tif 000005
【図４】
0003185855.tif 000006